(57)【要約】【課題】間口が共通で複数種類のカードが装着可能な携帯端末において、そのうち一枚のカードのみを容易に引き出すことができるカードコネクタ。【解決手段】取っ手部３５、及びトレイ本体３１を備えるトレイ３０によってＳＩＭカードＣ１の挿抜が行なわれ、ＳＩＭカードＣ１、トレイ３０を収容するための収容空間２７を形成するハウジング１０、及びカバー４０と、ＳＩＭカードＣ１のパッドに電気的機械的に接続するためのコンタクト２５を有するベース２０と、を備えるカードコネクタ１であって、取っ手部３５はトレイ本体３１の端部に付き、トレイ３０を収容空間２７に挿入する方向にカードを挿入する程度の力が作用した際、この力が作用した範囲が弾性的にたわむ。【選択図】図１
2014216278.tif 000002
【特許請求の範囲】
【請求項１】
取っ手部、及びトレイ本体を備えるトレイによってカードの挿抜が行なわれ、前記カード、トレイを収容するための収容空間を形成するハウジング、及びシェルと、前記カードのパッドに電気的機械的に接続するためのコンタクトを有するコンタクトベースと、を備えるカードコネクタであって、
前記取っ手部は前記トレイ本体の端部に付き、前記トレイを前記収容空間に挿入する方向にカードを挿入する程度の力が作用した際、この力が作用した範囲が弾性的に凹むところに特徴を有するカードコネクタ。
【請求項２】
前記取っ手部は挿抜方向に沿って延びる一対の支持部と、この支持部の先端近くから挿抜方向に直交する方向に沿って延びるトレイの挿抜操作の際把持する把持部とを備え、
前記把持部は前記支持部との協働で挿入方向の力に対して弾性的に凹むところに特徴を有する請求項１記載のカードコクタ。
【発明の詳細な説明】
【技術分野】
【０００１】
本発明は、カードコネクタに関し、詳しくはトレイ式のカードコネクタに関する。
【背景技術】
【０００２】
近年複数種類のカードが装着可能な携帯端末において、構造面およびコスト面からこれらカードの装着間口を共通化することが一般的に行なわれている。
特許文献１は、２種類のカードが装着可能なカードコネクタであって、カードの挿入が容易な構造を開示する。上段にはｍｉｃｒｏＳＤカードを収容し、下段にはリバースタイプのＳＩＭカードを収容する。この技術によれば、取り出し間口が共通化し低背化が可能なカードコネクタが得られる。これにより厚みの薄いケース本体からなる携帯端末に２種類のカードが装着可能なカードコネクタを組み付けることができる。
【０００３】
特許文献２は、大きさの異なる２種類のカードが収容可能なカードコネクタであって、各カードの突出量が等しくなる構造を開示する。これにより、簡易な構造たとえば取り出し間口を塞ぐ蓋様のもので各カードの端部を押えることができるので、携帯端末の小型化に寄与るものである。
特許文献３は、トレイ式カードコネクタであって、トレイの引き出しストロークが容易に増大できるコネクタ構造を開示する。この技術によれば携帯端末が小型化されても、カードの出し入れが容易なカードコネクタが得られる。
【０００４】
しかし、特許文献１記載の技術は、上段にＳＤカード、下段にＳＩＭカードの二段構造のカードコネクタにおいて、下段のＳＩＭカードの挿入性をよくするものではあるが、この技術においては差し込まれたカードの引き出し性については考慮されていない。特に上段のＳＤカードは比較的高頻度で挿抜れされるものであり、その都度煩雑な作業が強いられる。
【０００５】
すなわち、近接した平行間に並ぶ２枚のカードのうちその１枚のカードだけをその端部を指先で摘まむような態様で引き出す作業は困難である。たとえば、２枚のカードともにプッシュプッシュ方式のイジェクタ機構を有する場合には、上段のＳＤカードを引き出す操作で、同時に下段のＳＩＭカードも引き出されるという問題が生じうる。また、カードの端部をつまみカードを引き出す方式にあっては、尚更作業は困難を極める。このようなカードの引き出し時の問題は特許文献２及び３記載の技術においても共通して認められるものである。
【先行技術文献】
【特許文献】
【０００６】
【特許文献１】特開２０１２−３８５３３号公報
【特許文献２】特開２０１２−４３７１５号公報
【特許文献３】特開２０１２−１２８９７４号公報
【発明の概要】
【発明が解決しようとする課題】
【０００７】
本発明は、このような問題に鑑みてなされたものであり、複数種類のカードが装着可能な携帯端末において、携帯端末機器の小型化低背化の妨げにならず、そのうち一枚のカードのみを容易に引き出すことができるカードコネクタを提供することを目的とする。
【課題を解決するための手段】
【０００８】
上記目的を達成するために、本発明に係るカードコネクタは、（１）取っ手部、及びトレイ本体を備えるトレイによってカードの挿抜が行なわれ、前記カード、トレイを収容するための収容空間を形成するハウジング、及びカバーと、前記カードのパッドに電気的機械的に接続するためのコンタクトを有するベースと、を備えるカードコネクタであって、前記取っ手部は前記トレイ本体の端部に付き、前記トレイを前記収容空間に挿入する方向にカードを挿入する程度の力が作用した際、この力が作用した範囲が弾性的に凹むところに特徴を有するものである。
【０００９】
この発明によれば、トレイはカードが載置されるトレイ本体の端部から外部に延びる取っ手部を備える。取っ手部は、カードが搭載されたトレイ本体がカードコネクタの収容空間に収容されると、カードコネクタの間口から突出した位置にある。たとえば回路基板の本実施形態に係るカードコネクタが実装された面と反対側の面にＳＤカード用の別のカードコネクタが実装されている場合、これに装着されるＳＤカードは同じく端部をカードコネクタの間口から突出させ、その端面は概ね取っ手部の端部と同じ位置にある。
【００１０】
別のカードコネクタがプッシュプッシュ方式のイジェクタ機構を備えるとき、ＳＤカードを引き出す操作は、ＳＤカードの端面に指先で押圧を加えて行なう。この押圧操作の際指先は同時に平行位置にある取っ手部に当接し、取っ手部の当接位置に押圧力を加える。このとき取っ手部はカードを挿入する程度の押圧力によって弾性的に凹むように構成されているので押圧操作によって同時に凹み、これにより押圧操作を妨げることはない。また、押圧力は弾性的変形に消費されるのでトレイ本体に作用を及ぼすことはなく、たとえプッシュプッシュ方式のイジェクタ機構であってもトレイが引き出されることはない。
【００１１】
また、別のカードコネクタがＳＤカードの端部を指先でつまみ引き抜く方式であっても、取っ手部が凹むことでつまみ動作の妨げにならないので、煩雑な動作が強いられることがなくＳＤカードを引き出すことができる。
トレイはトレイ本体と取っ手部とが一体的に成形されるものであってよい。トレイは柔軟性のある合成樹脂製であってよく、シリコーンゴムなどの合成ゴム製、弾性のあるエラストマであってよい。
【００１２】
さらに好ましくは、本発明に係るカードコネクタは、（２）前記取っ手部は挿抜方向に沿って延びる一対の支持部と、この支持部の先端近くから挿抜方向に直交する方向に沿って延びるトレイの挿抜操作の際把持する把持部とを備え、前記把持部は前記支持部との協働で挿入方向の力に対して弾性的に凹むところに特徴を有する（１）記載のものである。
【００１３】
この発明によれば、取っ手部は支持部と把持部とを備え、把持部は支持部と協働して弾性的に凹む。これにより、ケースの間口を共通する位置に別のカードコネクタがあり、別のカードコネクタがプッシュプッシュ方式のイジェクタ機構を備えるとき、カードを引き出す操作が取っ手部の弾性的な凹みによって妨げられることはない。また、押圧力は弾性変形に消費されるのでトレイ本体に作用を及ぼすことはなく、たとえプッシュプッシュ方式のイジェクタ機構であってもトレイが引き出されることはない。
【図面の簡単な説明】
【００１４】
【図１】図１は本発明の実施形態に係るコネクタのハウジングの外観斜視図である。
【図２】図２は同コネクタのベースの外観斜視図である。
【図３】図３は同コネクタのハウジングにベースを組み付けた状態の外観斜視図である。
【図４】図４は同コネクタのトレイを上側から見た外観斜視図である。
【図５】図５は図４のトレイを下側から見た外観斜視図である。
【図６】図６は図４のトレイにＳＩＭカードが装着された状態の外観斜視図である。
【図７】図７は本発明の実施形態に係るコネクタが回路基板に実装された状態を示す外観斜視図である。
【図８】図８は同コネクタにＳＩＭカードが搭載されたトレイの挿抜状態を示す外観斜視図であって、（ａ）は挿入前、（ｂ）は挿入後である。
【図９】図９は回路基板の裏表に一方はＳＤカードコネクタ、他方は本発明の実施形態に係るＳＩＭカードコネクタが装着された状態のカードの挿抜方法を示す外観斜視図であって、（ａ）はプッシュ前、（ｂ）はプッシュ中、（Ｃ）はプッシュ後である。
【発明を実施するための形態】
【００１５】
本発明の実施形態を添付図面に基づいて説明するが、本発明の技術的範囲は、これらの実施形態によって限定されるものではなく、発明の要旨を逸脱しない範囲で実施することができる。図１は本発明の実施形態に係るコネクタのハウジングの外観斜視図である。図２は同コネクタのベースの外観斜視図である。図３は同コネクタのハウジングにベースを組み付けた状態の外観斜視図である。図４は同コネクタのトレイの上側から見た外観斜視図である。図５は図４のトレイを下側から見た外観斜視図である。図６は図４のトレイにＳＩＭカードが装着された状態の外観斜視図である。図７は本発明の実施形態に係るコネクタが回路基板に実装された状態を示す外観斜視図である。なお、説明中の指示方向は、断りのない限り図面中で定義する方向指示に従う。
【００１６】
〈カードコネクタの構成〉  カードコネクタ１は、図７に示されるように、ハウジング１０、ベース２０、カバー４０、及びトレイ３０を備える。ハウジング１０は、合成樹脂からなる成形品であってベース２０と同時成形で得られる。ベース２０は、銅合金の打ち抜き品でハウジング１０を補強するとともに６個のコンタクト２５を備えている。カバー４０はステンレス製の成形品でカードコネクタ１の外殻の一部を構成する。
【００１７】
〈ハウジング〉  ハウジング１０は、図１に示されるように、平板状のハウジング本体１１と、角部から延出したところにＳＷバー装着部１５とを備える。ハウジング本体１１には、二列に亘り６個のコンタクト穴１２が形成されている。ハウジング１０は、ベース２０と一体的に同時成形で得られ、コンタクト穴１２の内側にベース２０に備わるコンタクト２５が配置される。ハウジング本体１１は、正面視矩形状の平板で肉厚が薄くベース２０と協働して強度を確保する。
【００１８】
ＳＷバー装着部１５は、ハウジング本体１１からは幾分離れたところにあり、ＳＷバーＳが組み付けられる。ＳＷバー装着部１５は、ハウジング本体１１の角部から長手方向に直進する延出部の先端にある。ＳＷバーＳは、短冊状の金属片でその端部の板厚方向がＳＷバー装着部１５の溝で挟持されて固定される。
【００１９】
〈ベース〉  ベース２０は、図２に示されるように、ハウジング１０の強度を補強するとともに、ハウジング１０がコンタクト２５を支持するように同時成形によってハウジングと一体となる。ベース２０は、金属の圧延板から打ち抜き加工によってコンタクト２５を形成し、曲げ加工によって縁部に側壁２２、２２を形成する。側壁２２は、カバー４０と係合するための係合突部２３と、実装部２６とを備える。係合突部２３は、側壁２２の一部が外向きに凸状に変形したものである。実装部２６は、側壁２２の一部のコの字状の切り起こしにより構成され、回路基板Ｐのパッドに半田で固着される。
【００２０】
ベース２０は、高い剛性、及び導電性が要求され、特に本実施形態のように肉厚も薄いものが要求される場合には、ステンレス材を使用してもよい。ステンレスを使用することで、肉厚も薄く且つ剛性を備えたハウジング１０の補強材が得られる。また、ベース２０はカバー４０と一体となってシールド効果が期待されるので、電機の良導体で且つ接続部が電気的に接続されていることが望ましい。
【００２１】
〈コンタクト〉  コンタクト２５は、図２に示されるように、接触部２５０、リード部２５１、及び固定部２５２を備える。接触部２５０は鋭角に起き先端はやや丸みを帯びた曲面を備える。この曲面の腹部で対応するＳＩＭカードＣ１の端子と電気的機械的に接触する。接触部２５０は、全体が弾性的に変位可能で先端に向かって縮径する。固定部２５２は、ハウジング本体１１に重なる。固定部２５２のこの重なりにより、コンタクト２５はハウジング１０に固定される。リード部２５１は、後方に延び、ハウジング１０の後端縁から先端が突出する。
【００２２】
〈ハウジング／ベース〉  同時成形されたハウジング１０／ベース２０は、図３に示されるように、ベース本体２１にハウジング本体１１が重ね合わさる構造である。ハウジング１０は、ベース２０の内側に位置し、側端部は、ハウジング１０の重ね合わせがなくベース単体となり、そのまま側壁２２、２２に繋がる。コンタクト２５は、ハウジング１０のコンタクト穴１２から上方に跳ね上がり、リード部２５１は、ハウジング１０の後端縁から先端が突出する。成形段階においてハウジング１０と、ベース２０とが一体となった後、各コンタクト２５をまとめていた連結桟がハウジング本体１１の中央に開けられた穴を利用して切り離される。これにより各コンタクトは、電気的に独立する。
【００２３】
〈トレイ〉  トレイ３０は、図４、図５に示されるように、トレイ本体３１、及び取っ手部３５を備える。トレイ３０は、柔軟性のある材料の成形品である。たとえば、ＰＯＭ（ｐｏｌｙａｃｅｔａｌ）、４６ナイロンなどの合成樹脂、シリコーンゴムなどの合成ゴム、あるいはエラストマのような柔軟性を備える材料が好適である。
【００２４】
トレイ本体３１は、図４、図５に示されるように、後方が山形に欠く略矩形の底面３１ａ、及び左右側面に背の低い側壁３１ｂ、３１ｂを備える。トレイ本体３１の前方には、取っ手部３５が備わる。取っ手部３５の一部はトレイ本体３１の前壁３１ｃとなる。左右側壁３１ｂ、３１ｂ、前壁３１ｃ、及び底面３１ａによって凹形のトレイ本体３１が形成され、ここにＳＩＭカードＣ１をセットする。底面３１ａの後方には、嵌合時の完了感を与えるための凹部３１ａａが備わり、側壁３１ｂには、引き出し時の完了感を与えるための凸部３１ｂｂが備わる。
【００２５】
ＳＩＭカードＣ１は、図６に示されるように、左右側壁３１ｂ、３１ｂ、前壁３１ｃ、及び底面３１ａからなる凹状のトレイ本体３１内に置かれる。左右側壁３１ｂ、３１ｂの後端は、ＳＩＭカードＣ１の後面の両側端を僅かに抱え込むように内向きに変形している。このような構造の工夫によって、ＳＩＭカードＣ１はトレイ本体３１の内に僅かなクリアランスを残して収容される。
【００２６】
本実施形態のカードコネクタ１は、リバースタイプのもので、ＳＩＭカードＣ１は、図６に示されるように、端子Ｃ１０が露出する端子面を上にしてトレイ３０にセットされる。ＳＩＭカードＣ１の表裏を誤らないように、トレイ本体３１の前方角には、ＳＩＭカードＣ１の片側の角部にのみ形成された切り欠きに対応する形状が備わる。
【００２７】
取っ手部３５は、図４、図５に示されるように、支持部３６、３６と、把持部３７とを備える。把持部３７は、断面矩形の棒状片で、両端に支持部３６、３６が備わる。支持部３６は、トレイ本体３１の前面に接続する。取っ手部３５は、トレイ３０の出し入れの際使用する。トレイ３０がカードコネクタ１に収容された状態でトレイ３０の取っ手部３５はカードコネクタ１の挿入口Ｅから突出する。
【００２８】
取っ手部３５は、柔軟性を有する成形品で弾性的に変形容易な構造である。特に把持部３７は、両持ち梁構造で長手方向の長さに比べてその断面が小さく、把持部３７に作用する押圧力によって容易に弓なりにたわむ。このとき両端にある支持部３６、３６も弾性的
に内向きにたわむ。
【００２９】
一方トレイ３０の挿入操作で、取っ手部３５の変形能の高さがその操作の妨げになることはない。把持部３７はトレイ本体３１の前端近くにあり、たとえ内向きに変形する把持部３７の内側がトレイ本体３１の前端に当接したとしても、把持部３７に加わる挿入力は、直接トレイ本体３１に加わるので問題は生じない。
【００３０】
〈カバー〉  カバー４０は、図７に示されるように、ハウジング１０／ベース２０に対して上から被さる態様でカードコネクタ１の上半分の外殻を構成する。カバー４０は、薄さと剛性が同時に要求される場合には、ステンレスを使用してもよい。カバー４０は、図７に示されるように、カバー本体４１を有する。カバー本体４１は、上面４１ａ、及び左右側面に側壁４１ｂ、４１ｂを備える。側壁４１ｂは、係合受け部４３を備える。カバー４０は、上面４１ａ、及び左右側壁４１ｂ、４１ｂで凹部を形成する。
【００３１】
カバー４０は、図７に示されるように、ハウジング１０／ベース２０に被さり、内側に収容空間２７を形成し、収容空間２７前方に挿入口Ｅを形成する。側壁４１ｂの係合受け部４３は、ベース２０の側壁２２に備わる係合突部２３と係合し、ハウジング１０／ベース２０と、カバー４０とを電気的機械的に接続する。カバー４０がベース２０と電気的に結合することで、内部のコンタクト２５全体が金属導体で囲われたシールド構造が形成されることとなる。
【００３２】
〈トレイの挿抜操作〉  トレイ３０の挿抜操作について、図面に従って説明する。図８は同コネクタにＳＩＭカードが搭載されたトレイの挿抜状態を示す外観斜視図であって、（ａ）は挿入前、（ｂ）は挿入後である。図９は回路基板の裏表に一方はＳＤカードコネクタ、他方は本発明の実施形態に係るＳＩＭカードコネクタが装着された状態のカードの挿抜方法を示す外観斜視図であって、（ａ）はプッシュ前、（ｂ）はプッシュ中、（Ｃ）はプッシュ後である。
【００３３】
本実施形態のカードコネクタ１は、リバーシブルタイプであって、図８に示されるように、ＳＩＭカードＣ１は、図示上トレイ３０の反対面に載置されているために図には示されていない。ＳＩＭカードＣ１を載置したトレイ３０は、図８に示されるように、ＳＩＭカードＣ１の端子面が回路基板Ｐに向かう姿勢でカードコネクタ１に進入する。トレイ３０は、回路基板Ｐの端に実装されたカードコネクタ１の挿入口Ｅから進入する。トレイ本体３１は、カードコネクタ１内部の収容空間２７に収まり、正規嵌合位置のとき、取っ手部３５は、挿入口Ｅから突出する。突出した取っ手部３５は、回路基板Ｐの端縁から外部にとび出ている。
【００３４】
トレイ３０を挿入するとき、挿入力は、特に把持部３７に係り、支持部３６、３６を通してトレイ本体に伝わる。これにより、挿入力はトレイ本体３１に加わりトレイ３０は前方に移動する。トレイ３０を引き出すとき、カードコネクタ１の挿入口Ｅから外に突出する取っ手部３５を指先でつまみそのままの姿勢で引き出す。取っ手部３５は、回路基板Ｐの端縁より外に突出しているので取っ手部３５を把持する操作は容易に行なえる。
【００３５】
〈作用原理、２個のカードを装着する携帯端末〉  回路基板Ｐの上面には、ＳＤカードＣ２用のカードコネクタ２が装着され、下面には、ＳＩＭカードＣ１用のカードコネクタ１が装着されている場合であって、上側のＳＤカードＣ２を引き出す操作について、図９に従って説明する。
ＳＤカードＣ２用のカードコネクタ２は、プッシュプッシュ方式のイジェクタ機構を備えている。ケースのカード取り出し間口を共通化するために、ＳＤカードＣ２用のカードコネクタ２と、ＳＩＭカードＣ１用のカードコネクタ１とは、回路基板Ｐの表裏で同じ位
置にある。ＳＤカードＣ２は、図９の（ａ）に示されるように、カードコネクタ２と嵌合した状態で、端部が回路基板Ｐの端縁から外に突出している。同じく、ＳＩＭカードＣ１は、カードコネクタ１と嵌合した状態で、取っ手部３５が回路基板Ｐの端縁から外に突出している。
【００３６】
ＳＤカードＣ２を引き出すために、図９の（ｂ）に示されるように、ＳＤカードＣ２の後端部に押圧力が加わるように指先でプッシュする。これにより、ＳＤカードＣ２はカードコネクタ２の深部に進入し、動作途中で係合が解かれる。これにより、ＳＤカードＣ２は、イジェクタ装置から一転してとび出す方向に力を受けることとなる。
【００３７】
ところで、ＳＤカードＣ２の後端部をプッシュする指先は、同時に下段にあるＳＩＭカードＣ１の取っ手部３５にも係り、指先は、ＳＤカードＣ２と、ＳＩＭカードＣ１を同時にプッシュすることとなる。このとき、取っ手部３５、特に把持部３７は、支持部３６、３６と協働してプッシュする力に応じてプッシュ方向に変形するので、ＳＩＭカードＣ１のトレイ３０がＳＤカードＣ２を引き出す操作の妨げになることはない。また、ＳＩＭカードＣ１のトレイ３０は、このプッシュによって、取っ手部３５が弾性的に変形するだけなので、これにより予定外の動作が生じることもない。たとえ、ＳＩＭカードＣ１用のカードコネクタ１がプッシュプッシュ方式のイジェクタ機構を備える場合であったとしても、この操作によってＳＩＭカードＣ１がとび出すことはない。
【００３８】
〈効果〉
・本実施形態のＳＩＭカードＣ１用のカードコネクタ１は、トレイ３０の取っ手部３５が弾性的に変形する。これにより、並んで備わるプッシュプッシュ方式のイジェクタ機構を備えるＳＤカードＣ２用カードコネクタ２からＳＤカードＣ２を引き出すとき、プッシュ操作の妨げにならないで取り出すことができる。
・本実施形態のＳＩＭカードＣ１用のカードコネクタ１は、トレイ３０の取っ手部３５が弾性的に変形する。これにより、並んで備わるプッシュプッシュ方式のイジェクタ機構を備えるＳＤカードＣ２用カードコネクタ２からＳＤカードＣ２を引き出すとき、誤ってＳＩＭカードＣ１が取り出されることがない。
【００３９】
・本実施形態のＳＩＭカードＣ１用のカードコネクタ１は、トレイ３０の取っ手部３５に誤挿入防止片３２を備える。これにより、ＳＩＭカードＣ１の方向違いによる装着ミスが防がれる。
・本実施形態のＳＩＭカードＣ１用のカードコネクタ１は、簡易な構造で目的を達成するトレイ３０を備える。これにより、部品点数の増加、コストのアップをともなうことなく、携帯端末の小型化薄型化を推進することができる。
【００４０】
以上、本発明を実施形態に基づいて説明したが、本発明は、上述した実施形態に限られるものではなく、発明思想の範囲内で種々の変更が可能である。
【符号の説明】
【００４１】
１            カードコネクタ
１０          ハウジング；：
１１          ハウジング本体
１２          コンタクト穴
１５          ＳＷバー装着部
２０          ベース
２１          ベース本体
２２          側壁
２３          係合突部
２４          実装部
２５          コンタクト
２７          凹部（収容空間）
２５０        接触部
２５１        リード部
２５２        固定部
３０          トレイ
３１          トレイ本体
３２          誤挿入防止片
３５          取っ手部
３６          支持部
３７          把持部
４０          カバー
４１          カバー本体
４２          側壁
４３          係合受部
Ｃ１          ＳＩＭカード
Ｃ２          ＳＤカード
Ｐ            回路基板
Ｓ            スウィッチバー
Ｅ            挿入口
【図１】
2014216278.tif 000003
【図２】
2014216278.tif 000004
【図３】
2014216278.tif 000005
【図４】
2014216278.tif 000006
【図５】
2014216278.tif 000007
【図６】
2014216278.tif 000008
【図７】
2014216278.tif 000009
【図８】
2014216278.tif 000010
【図９】
2014216278.tif 000011